(57)【要約】【課題】突起部を有する本体の位置を上下左右方向に極めて簡単に変更することができる指圧器を提供する。【解決手段】椅子Ｃの背もたれＣ１に装着された本体３の上下方向の移動は織ゴムバンド９を持って上方向または下方向にずらすだけで行うことができる。また、本体３の左右方向の移動は本体３を持って左方向または右方向にずらすだけで行うことが可能である。本体３は背もたれＣ１に対し織ゴムバンド９の弾性力によって軽く押し付けられた状態となっている。従って、本体３は移動させたどの位置においても背もたれＣ１に押し付けられて固定されるので不用意に動いてしまうことはない。【選択図】        図１
0003116444.tif 000002
【実用新案登録請求の範囲】
【請求項１】
平板状の本体と、前記本体の前面に設けられた突起部と、前記本体の両側面間を貫通する貫通穴と、前記貫通穴に挿通され、端部どうしが連結されてループ状を為す紐状体とから成り、前記本体は紐状体に対し摺動自在であり、紐状体は長手方向へ弾性的に伸縮自在であることを特徴とする指圧器。
【請求項２】
請求項１に記載した指圧器において、本体の背面には凸部が設けられていることを特徴とする指圧器。
【請求項３】
請求項２に記載した指圧器において、凸部の厚さ寸法は１０ｍｍ〜３０ｍｍであることを特徴とする指圧器。
【考案の詳細な説明】
【技術分野】
【０００１】
本考案は指圧器に係り、特に椅子の背もたれに取り付けて使用する指圧器に関するものである。
【背景技術】
【０００２】
椅子の背もたれに取り付けて使用する指圧器は、突起部を有する本体に取り付けられた紐を背もたれに回して縛り付けるタイプのものや、特許文献１に記載された背もたれの上部より掛けるタイプのものがある。
【０００３】
【特許文献１】特開２００３−３２５６３７公報
【考案の開示】
【考案が解決しようとする課題】
【０００４】
しかしながら、上記従来の紐を背もたれに回して縛り付けるタイプの指圧器は、その本体を取付位置を変える場合、紐をいちいち解いて、また縛り直す必要があり、かなり面倒である。また、背もたれの上部より掛けるタイプの指圧器も、背もたれから一旦外して掛け直す必要があり、これもかなり面倒である。
また、背もたれの上部より掛けるタイプの指圧器においても、押圧具（突起部）の位置を左右方向へ変更する場合には、指圧器を背もたれから一旦外して、掛け直す必要があり面倒である。また、背もたれの形状、サイズに合わせていちいち調整を行う必要がある。
本考案は上記課題を解決するために為されたものであり、突起部を有する本体の位置を上下左右方向に極めて簡単に変更することができる指圧器を提供することを目的とする。
【課題を解決するための手段】
【０００５】
本考案は上記課題を解決するためになされたものであり、請求項１の考案は、平板状の本体と、前記本体の前面に設けられた突起部と、前記本体の両側面間を貫通する貫通穴と、前記貫通穴に挿通され、端部どうしが連結されてループ状を為す紐状体とから成り、前記本体は紐状体に対し摺動自在であり、紐状体は長手方向へ弾性的に伸縮自在であることを特徴とする指圧器である。
【０００６】
請求項２の考案は、請求項１に記載した指圧器において、本体の背面には凸部が設けられていることを特徴とする指圧器である。
【０００７】
請求項３の考案は、請求項２に記載した指圧器において、凸部の厚さ寸法は１０ｍｍ〜３０ｍｍであることを特徴とする指圧器である。
【考案の効果】
【０００８】
本考案の指圧器によれば、突起部を有する本体の位置を上下左右方向に極めて簡単に変更することができる。
また、大きく湾曲する背もたれでも、本体を安定姿勢に保つことができる。
【考案を実施するための最良の形態】
【０００９】
本考案の実施の形態１に係る指圧器１を図１から図６の図面にしたがって説明する。
符号３は平板状の本体を示し、この本体３の前面４には突起部５が設けられており、突起部５は先端部の途中から径寸法が徐々に小さくなる円柱状に形成されている。突起部５は４つずつ上下二列に一定間隔をあけて配置され、計８つ設けられている。
本体３と突起５はある程度の弾性を有するエチレン樹脂（ＥＶＡスポンジ）によって構成されている。
【００１０】
本体３には、その両側面間を貫通する貫通穴７が形成されており、この貫通穴７は縦方向にある程度高さを有し、幅寸法が比較的小さい四角柱状である。貫通穴７には紐状体としてのゴム糸に対し縦横に糸を折り込んで構成した織ゴムバンド９が挿通されており、本体３は織ゴムバンド９に対し摺動自在に支持されている。そして織ゴムバンド９の端部どうしは連結具１１によって連結されており、織ゴムバンド９はループ状を為している。織ゴムバンド９は少なくとも長手方向へ弾性的に伸縮自在である。
【００１１】
この指圧器１の使用方法について説明する。
織ゴムバンド９を両手で持ち織ゴムバンド９のループを拡げるようにして、図３に示すように椅子Ｃの背もたれＣ１に嵌める。織ゴムバンド９は弾性的に伸縮するので、面倒な操作を行うとなく、織ゴムバンド９を単に背もたれＣ１に嵌めるだけで指圧器１を装着することができる。本体３の背面１３は背もたれＣ１に対し、織ゴムバンド９の弾性力によって軽く押し付けられた状態となっている。
更に、織ゴムバンド９は弾性的に伸縮するので、殆どのサイズの背もたれに対応可能で、また殆どの形状の背もたれに対応することが可能である。
【００１２】
本体３の上下方向の移動は織ゴムバンド９を持って上方向または下方向にずらすだけで行うことができる。また、図４に示すように本体３の左右方向の移動は本体３を持って左方向または右方向にずらすだけで行うことが可能である。即ち、本体３は織ゴムバンド９に摺動自在に支持されており、本体３を手で左右方向へ移動させることができる。
前述のように本体３は背もたれＣ１に対し織ゴムバンド９の弾性力によって軽く押し付けられた状態となっている。従って、本体３は移動させたどの位置においても背もたれＣ１に押し付けられて固定させられるので、不用意に動いてしまうことはない。
本体３を所望の位置に移動させたら図５に示すように、椅子Ｃの座面Ｃ２に腰を下ろして、例えば背中を突起部５に押し付けて指圧を行う。
【００１３】
本考案の実施の形態２に係る指圧器２１を図６、図７の図面にしたがって説明する。
指圧器２１は実施の形態１に係る指圧器１とほぼ同様に構成を有するので、その相違点についてのみ説明することとし、同様な構成部分については実施の形態１で用いた符号を付してその説明を省略する。
本体３の背面１３にはポリエチレン樹脂（ＥＶＡスポンジ）製の凸部２３が設けられている。この凸部２３は本体３と高さ寸法は同じで、幅寸法が約半分の平板状の部材によって構成され、背面１３のほぼ中心部に固定されて備えられている。凸部２３の厚さ寸法は２５ｍｍであり、この厚さ寸法は好ましくは１０ｍｍ〜３０ｍｍの範囲で設定する。
【００１４】
図７に示すように、指圧器２１では椅子Ｃの背もたれＣ１がかなり大型のものであったり、その湾曲の度合いが大きかったりする場合でも、凸部２３が背もたれＣ２に確実に当接するので、より本体３が安定した状態で固定される。従って、例えば背中を突起部５に押し付けた場合に、本体３が傾いたりするのをより確実に防止することができる。
前述にように凸部２３の厚さ寸法は２５ｍｍであり、この厚さ寸法は好ましくは１０ｍｍ〜３０ｍｍの範囲で設定する。この凸部２３の厚さ寸法は背もたれの湾曲によって形成される凹状部の深さ寸法に対応したものである。
【００１５】
以上、本考案の実施の形態について詳述してきたが、具体的構成は、この実施の形態に限られるものではなく、本考案の要旨を逸脱しない範囲における設計の変更などがあっても考案に含まれる。
例えば、本体３、突起部５及び凸部２３をポリエチレン樹脂（ＥＶＡスポンジ）によって構成したが本考案はこれに限定されず、他の合成樹脂等によって構成してもよい。
また、突起部５の大きさ、数、形状、配置等は自由に変更可能である。
更に、織ゴムバンド９の長さ寸法は自由に設定でき、また調節金具等を装着して長さ調節可能な構成としてもよい。
上記実施の形態では、紐状体として織ゴムバンドを使用したが、本発明はこれに限定されず、少なくとも長手方向へ弾性的に伸縮可能な柔軟性を有する材料であればどのような材料で構成してもよい。
【図面の簡単な説明】
【００１６】
【図１】本考案の実施の形態１に係る指圧器の斜視図である。
【図２】図１のＡ−Ａ断面図である。
【図３】図１に示した指圧器を椅子に装着した状態を示す斜視図である。
【図４】図１に示した指圧器を位置変更するために左右方向へ移動させる方法を説明するための図である。
【図５】椅子に装着した図１に示した指圧器を用いて背中の指圧を行うための動作を説明するための図である。
【図６】実施の形態２に係る指圧器の斜視図である。
【図７】図６に示した指圧器を椅子の背もたれに装着した状態を示す図である。
【符号の説明】
【００１７】
１、２１  指圧器      ３  本体      ４  前面
５  突起部      ７  貫通穴      ９  織ゴムバンド
１１  連結具      １３  背面      ２３  凸部
Ｃ  椅子      Ｃ１  背もたれ      Ｃ２  座面
【図１】
0003116444.tif 000003
【図２】
0003116444.tif 000004
【図３】
0003116444.tif 000005
【図４】
0003116444.tif 000006
【図５】
0003116444.tif 000007
【図６】
0003116444.tif 000008
【図７】
0003116444.tif 000009